(57)【特許請求の範囲】
【請求項１】
電子機器において、
当該電子機器に内蔵されている撮像装置、当該電子機器に内蔵されている加速度センサー、および当該電子機器に内蔵されている位置検出装置のうちの少なくとも１つからの出力に基づいて、自動的に、所定の複数のユーザー認証方式から１つのユーザー認証方式を選択する認証方式選択部と、
前記認証方式選択部により選択された前記ユーザー認証方式でユーザー認証を実行するユーザー認証部と、
を備え、
前記認証方式選択部は、デフォルトのユーザー認証方式がパスコード認証またはパターン入力認証である場合、（ａ）前記撮像装置から得られる撮像画像において、ユーザー以外の人物が検出されるか否かを判定し、（ｂ１）前記撮像画像においてユーザー以外の人物が検出されたときには、指紋認証を選択し、（ｂ２）前記撮像画像においてユーザー以外の人物が検出されなかったときには、前記パスコード認証または前記パターン入力認証を選択すること、
を特徴とする電子機器。
【請求項２】
電子機器において、
当該電子機器に内蔵されている撮像装置、当該電子機器に内蔵されている加速度センサー、および当該電子機器に内蔵されている位置検出装置のうちの少なくとも１つからの出力に基づいて、自動的に、所定の複数のユーザー認証方式から１つのユーザー認証方式を選択する認証方式選択部と、
前記認証方式選択部により選択された前記ユーザー認証方式でユーザー認証を実行するユーザー認証部と、
を備え、
前記認証方式選択部は、デフォルトのユーザー認証方式が指紋認証である場合、（ａ）前記加速度センサーにより所定値を超える加速度が検出されるか否かを判定し、（ｂ１）前記所定値を超える加速度が検出されたときには、パスコード認証またはパターン入力認証を選択し、（ｂ２）前記所定値を超える加速度が検出されなかったときには、前記指紋認証を選択すること、
を特徴とする電子機器。
【請求項３】
電子機器において、
当該電子機器に内蔵されている撮像装置、当該電子機器に内蔵されている加速度センサー、および当該電子機器に内蔵されている位置検出装置のうちの少なくとも１つからの出力に基づいて、自動的に、所定の複数のユーザー認証方式から１つのユーザー認証方式を選択する認証方式選択部と、
前記認証方式選択部により選択された前記ユーザー認証方式でユーザー認証を実行するユーザー認証部と、
を備え、
前記認証方式選択部は、デフォルトのユーザー認証方式がパスコード認証またはパターン入力認証である場合、（ａ）前記位置検出装置により検出される現在位置が所定のホーム領域内であるか否かを判定し、（ｂ１）前記現在位置が前記ホーム領域内ではないときには、指紋認証を選択し、（ｂ２）前記現在位置が前記ホーム領域内であるときには、前記パスコード認証または前記パターン入力認証を選択すること、
を特徴とする電子機器。
【請求項４】
電子機器において、
当該電子機器に内蔵されている撮像装置、当該電子機器に内蔵されている加速度センサー、および当該電子機器に内蔵されている位置検出装置のうちの少なくとも１つからの出力に基づいて、自動的に、所定の複数のユーザー認証方式から１つのユーザー認証方式を選択する認証方式選択部と、
前記認証方式選択部により選択された前記ユーザー認証方式でユーザー認証を実行するユーザー認証部と、
を備え、
前記認証方式選択部は、デフォルトのユーザー認証方式がパスコード認証またはパターン入力認証である場合、（ａ１）前記撮像装置から得られる撮像画像において、ユーザー以外の人物が検出されるか否かを判定し、（ａ２）前記位置検出装置により検出される現在位置が所定のホーム領域内であるか否かを判定し、（ｂ１）前記撮像画像においてユーザー以外の人物が検出された場合、前記現在位置が前記ホーム領域内ではないときには、指紋認証を選択し、前記現在位置が前記ホーム領域内であるときには、前記パスコード認証または前記パターン入力認証を選択し、（ｂ２）前記撮像画像においてユーザー以外の人物が検出されなかった場合、前記現在位置に拘わらず、前記パスコード認証または前記パターン入力認証を選択すること、
を特徴とする電子機器。
【発明の詳細な説明】
【技術分野】
【０００１】
本発明は、電子機器に関するものである。
【背景技術】
【０００２】
ある画像処理装置は、文字入力に基づくユーザー認証方式および指紋スキャンに基づくユーザー認証方式を含む認証方式リストを表示し、ユーザーにより認証方式リストにおいて選択された認証方式で、ユーザー認証を行っている（例えば特許文献１参照）。
【先行技術文献】
【特許文献】
【０００３】
【特許文献１】特開２００９−１９９２３５号公報
【発明の概要】
【発明が解決しようとする課題】
【０００４】
しかしながら、上述の画像処理装置では、ユーザーが、認証方式リストから所望の認証方式を選択する操作を行う必要があり、ユーザー認証に必要なユーザー操作が煩雑である。【０００５】
また、単一のユーザー認証方式の場合には、所望の認証方式を選択する操作は不要であるが、ユーザーは所望のユーザー認証方式でユーザー認証を実行できないことがある。【０００６】
本発明は、上記の問題に鑑みてなされたものであり、ユーザーが所望のユーザー認証方式を選択することなく、ユーザーの置かれている状況に適したユーザー認証方式でユーザー認証を行う電子機器を得ることを目的とする。
【課題を解決するための手段】
【０００７】
本発明に係る電子機器は、当該電子機器に内蔵されている撮像装置、当該電子機器に内蔵されている加速度センサー、および当該電子機器に内蔵されている位置検出装置のうちの少なくとも１つからの出力に基づいて、自動的に、所定の複数のユーザー認証方式から１つのユーザー認証方式を選択する認証方式選択部と、前記認証方式選択部により選択された前記ユーザー認証方式でユーザー認証を実行するユーザー認証部とを備える。さらに、次の（Ａ）〜（Ｄ）の少なくとも１つの構成を有する。（Ａ）前記認証方式選択部は、デフォルトのユーザー認証方式がパスコード認証またはパターン入力認証である場合、（ａ）前記撮像装置から得られる撮像画像において、ユーザー以外の人物が検出されるか否かを判定し、（ｂ１）前記撮像画像においてユーザー以外の人物が検出されたときには、指紋認証を選択し、（ｂ２）前記撮像画像においてユーザー以外の人物が検出されなかったときには、前記パスコード認証または前記パターン入力認証を選択する。（Ｂ）前記認証方式選択部は、デフォルトのユーザー認証方式が指紋認証である場合、（ａ）前記加速度センサーにより所定値を超える加速度が検出されるか否かを判定し、（ｂ１）前記所定値を超える加速度が検出されたときには、パスコード認証またはパターン入力認証を選択し、（ｂ２）前記所定値を超える加速度が検出されなかったときには、前記指紋認証を選択する。（Ｃ）前記認証方式選択部は、デフォルトのユーザー認証方式がパスコード認証またはパターン入力認証である場合、（ａ）前記位置検出装置により検出される現在位置が所定のホーム領域内であるか否かを判定し、（ｂ１）前記現在位置が前記ホーム領域内ではないときには、指紋認証を選択し、（ｂ２）前記現在位置が前記ホーム領域内であるときには、前記パスコード認証または前記パターン入力認証を選択する。（Ｄ）前記認証方式選択部は、デフォルトのユーザー認証方式がパスコード認証またはパターン入力認証である場合、（ａ１）前記撮像装置から得られる撮像画像において、ユーザー以外の人物が検出されるか否かを判定し、（ａ２）前記位置検出装置により検出される現在位置が所定のホーム領域内であるか否かを判定し、（ｂ１）前記撮像画像においてユーザー以外の人物が検出された場合、前記現在位置が前記ホーム領域内ではないときには、指紋認証を選択し、前記現在位置が前記ホーム領域内であるときには、前記パスコード認証または前記パターン入力認証を選択し、（ｂ２）前記撮像画像においてユーザー以外の人物が検出されなかった場合、前記現在位置に拘わらず、前記パスコード認証または前記パターン入力認証を選択する。
【発明の効果】
【０００８】
本発明によれば、ユーザーが所望のユーザー認証方式を選択することなく、ユーザーの置かれている状況に適したユーザー認証方式でユーザー認証が行われる。【０００９】
本発明の上記又は他の目的、特徴および優位性は、添付の図面とともに以下の詳細な説明から更に明らかになる。
【図面の簡単な説明】
【００１０】
【図１】図１は、本発明の実施の形態に係る電子機器の構成を示すブロック図である。
【図２】図２は、図１に示す電子機器の動作について説明するフローチャートである。
【発明を実施するための形態】
【００１１】
以下、図に基づいて本発明の実施の形態を説明する。
【００１２】
図１は、本発明の実施の形態に係る電子機器の構成を示すブロック図である。図１に示す電子機器は、例えばスマートフォンなどの携帯端末装置である。
【００１３】
図１に示す電子機器は、無線通信装置１１、表示装置１２、入力装置１３、位置検出装置１４、加速度センサー１５、指紋スキャナー１６、撮像装置１７、記憶装置１８、および演算処理装置１９を備える。
【００１４】
無線通信装置１１は、例えば無線ＬＡＮインタフェース、携帯電話網に接続可能な通信回路などであって、所定の無線通信規格で無線通信を行う。
【００１５】
表示装置１２は、当該電子機器の筐体に配置されている液晶ディスプレイなどの装置であって、各種画面をユーザーに対して表示する。
【００１６】
入力装置１３は、表示装置１２上に配置されたタッチパネル、ハードキーなどの装置であって、ユーザー操作を検出する。
【００１７】
位置検出装置１４は、例えばＧＰＳ（Global Positioning System）で、当該電子機器の位置を特定する。
【００１８】
加速度センサー１５は、当該電子機器の加速度を検出する。
【００１９】
指紋スキャナー１６は、指紋画像を光学的に読み取り出力する。
【００２０】
撮像装置１７は、所定範囲の視野を撮像し、撮影画像を出力する。
【００２１】
記憶装置１８は、フラッシュメモリーなどの不揮発性の記憶装置であり、ユーザー識別データ２１を記憶している。
【００２２】
ユーザー識別データ２１は、登録ユーザー（例えば電子機器１の所有者）について、所定の複数のユーザー認証方式で要求される登録ユーザー固有な識別情報（パスコード認証の真正パスコード、指紋認証の真正指紋の特徴量など）を含む。
【００２３】
演算処理装置１９は、ＣＰＵ（Central Processing Unit）、ＲＯＭ（Read Only Memory）、ＲＡＭ（Random Access Memory）などを有するコンピューターであって、記憶装置１８やＲＯＭからＲＡＭにプログラムをロードして実行して、各種処理部として動作する。
【００２４】
この実施の形態では、演算処理装置１９は、認証方式選択部３１およびユーザー認証部３２として動作する。
【００２５】
認証方式選択部３１は、当該電子機器に内蔵されている撮像装置１７、当該電子機器に内蔵されている加速度センサー１５、および当該電子機器に内蔵されている位置検出装置１４のうちの少なくとも１つからの出力に基づいて、自動的に、所定の複数のユーザー認証方式（ここでは、パスコード認証と指紋認証）から１つのユーザー認証方式を選択する。
【００２６】
ユーザー認証部３２は、認証方式選択部３１により選択されたユーザー認証方式で、ユーザー識別データ２１を使用して、ユーザー認証を実行する。
【００２７】
さらに、この実施の形態では、認証方式選択部３１は、デフォルトのユーザー認証方式がパスコード認証である場合、（ａ）撮像装置１７から得られる撮像画像において、登録ユーザー以外の人物が検出されるか否かを判定し、（ｂ１）その撮像画像において登録ユーザー以外の人物が検出されたときには、指紋認証を選択し、（ｂ２）その撮像画像において登録ユーザー以外の人物が検出されなかったときには、パスコード認証を選択する。なお、デフォルトのユーザー認証方式の設定値がユーザー識別データ２１に含まれており、認証方式選択部３１は、ユーザー識別データ２１を参照して、デフォルトのユーザー認証方式を特定する。
【００２８】
これにより、登録ユーザー以外の人物によって、パスコード認証のために入力されるパスコードを盗み見られる可能性が減る。
【００２９】
例えば、認証方式選択部３１は、撮像画像に対して顔認識処理を実行し、予め登録されている登録ユーザーの顔以外の顔を撮像画像において検出した場合には、登録ユーザー以外の人物が検出されたと判定する。また、認証方式選択部３１は、撮像画像に対して顔認識処理を実行し、２人以上の顔を撮像画像において検出した場合には、登録ユーザー以外の人物が検出されたと判定するようにしてもよい。
【００３０】
さらに、この実施の形態では、認証方式選択部３１は、デフォルトのユーザー認証方式が指紋認証である場合、（ａ）加速度センサー１５により所定値を超える加速度が検出されるか否かを判定し、（ｂ１）その所定値を超える加速度が検出されたときには、パスコード認証を選択し、（ｂ２）その所定値を超える加速度が検出されなかったときには、指紋認証を選択する。
【００３１】
これにより、ユーザーが例えば走ったりして急いでいるときには、指紋認証より短時間での入力が可能なパスコード認証が選択される。
【００３２】
次に、上記電子機器の動作について説明する。図２は、図１に示す電子機器の動作について説明するフローチャートである。
【００３３】
認証方式選択部３１は、ユーザーがログアウトしている状態で、当該電子機器を手に持ったことを検出したか否かを監視する（ステップＳ１）。例えば、認証方式選択部３１は、加速度センサー１５や図示せぬジャイロなどを使用して、ユーザーが当該電子機器を手に持ったことを検出する。
【００３４】
ユーザーが当該電子機器を手に持ったことを検出すると、認証方式選択部３１は、デフォルトのユーザー認証方式の設定値がパスコード認証であるか否かを判定する（ステップＳ２）。
【００３５】
デフォルトのユーザー認証方式の設定値がパスコード認証である場合、認証方式選択部３１は、撮像装置１７を起動し、撮像装置１７から撮像画像を取得する（ステップＳ３）。そして、認証方式選択部３１は、撮像装置１７から取得した撮像画像内で登録ユーザー以外の人物が検出されたか否かを判定する（ステップＳ４）。
【００３６】
その撮像画像内で登録ユーザー以外の人物が検出された場合、認証方式選択部３１は、指紋認証を選択する（ステップＳ５）。一方、その撮像画像内で登録ユーザー以外の人物が検出されなかった場合、認証方式選択部３１は、パスコード認証を選択する（ステップＳ６）。
【００３７】
また、デフォルトのユーザー認証方式の設定値がパスコード認証ではなく指紋認証である場合（ステップＳ２）、認証方式選択部３１は、加速度センサー１５で現在の加速度を取得し、所定値を超える加速度が検出されたか否かを判定する（ステップＳ７）。
【００３８】
その所定値を超える加速度が検出された場合、認証方式選択部３１は、パスコード認証を選択する（ステップＳ８）。一方、その所定値を超える加速度が検出されなかった場合、認証方式選択部３１は、指紋認証を選択する（ステップＳ９）。
【００３９】
このようにして、認証方式選択部３１がユーザー認証方式を選択すると、ユーザー認証部３２は、選択されたユーザー認証方式でユーザー認証を実行する（ステップＳ１０）。
【００４０】
例えば、パスコード認証の場合、ユーザー認証部３２は、パスコード入力用の画面を表示装置１２に表示し、その画面に対してユーザーにより入力されたパスコードを入力装置１３で検出し、検出したパスコードが、ユーザー識別データ２１に登録されているパスコードに一致するか否かを判定し、両者が一致した場合には、ユーザー認証に成功したものと判定し、両者が一致しない場合には、ユーザー認証に失敗したものと判定する。
【００４１】
例えば、指紋認証の場合、ユーザー認証部３２は、指紋スキャナー１６に指を置くようにユーザーに促す画面を表示装置１２に表示し、指紋スキャナー１６で読み取られた指紋画像を取得し、その指紋画像から指紋の特徴量を抽出し、その特徴量が、ユーザー識別データ２１に登録されている特徴量に一致するか否かを判定し、両者が一致した場合には、ユーザー認証に成功したものと判定し、両者が一致しない場合には、ユーザー認証に失敗したものと判定する。
【００４２】
そして、ユーザー認証部３２は、ユーザー認証に成功した場合には、ログインを許可し、例えば、操作画面を表示装置１２に表示し、当該電子機器を利用可能な状態とする。一方、ユーザー認証部３２は、ユーザー認証に失敗した場合には、ログインを拒否する。
【００４３】
以上のように、上記実施の形態によれば、認証方式選択部３１は、当該電子機器に内蔵されている撮像装置１７、当該電子機器に内蔵されている加速度センサー１５、および当該電子機器に内蔵されている位置検出装置１４のうちの少なくとも１つからの出力に基づいて、自動的に、所定の複数のユーザー認証方式から１つのユーザー認証方式を選択する。そして、ユーザー認証部３２は、認証方式選択部３１により選択されたユーザー認証方式でユーザー認証を実行する。
【００４４】
これにより、ユーザーが所望のユーザー認証方式を選択することなく、ユーザーの置かれている状況に適したユーザー認証方式でユーザー認証が行われる。
【００４５】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００４６】
例えば、上記実施の形態において、認証方式選択部３１は、デフォルトのユーザー認証方式がパスコード認証である場合、（ａ）位置検出装置１４により検出される現在位置が所定のホーム領域内であるか否かを判定し、（ｂ１）その現在位置がホーム領域内ではない場合には、指紋認証を選択し、（ｂ２）その現在位置がホーム領域内である場合には、パスコード認証を選択するようにしてもよい。その場合、ホーム領域は、例えば、登録ユーザーの自宅などに設定され、ホーム領域の位置情報もユーザー識別データ２１に予め含められる。
【００４７】
また、上記実施の形態において、認証方式選択部３１は、デフォルトのユーザー認証方式がパスコード認証である場合、（ａ１）撮像装置１７から得られる撮像画像において、ユーザー以外の人物が検出されるか否かを判定し、（ａ２）位置検出装置１４により検出される現在位置が所定のホーム領域内であるか否かを判定し、（ｂ１）その撮像画像においてユーザー以外の人物が検出された場合、その現在位置がホーム領域内ではないときには、指紋認証を選択し、その現在位置がホーム領域内であるときには、パスコード認証を選択し、（ｂ２）その撮像画像においてユーザー以外の人物が検出されなかった場合、その現在位置に拘わらず、パスコード認証を選択するようにしてもよい。
【００４８】
さらに、上記実施の形態において、所定の複数のユーザー認証方式は、パスコード認証および指紋認証以外のユーザー認証方式（パターン入力認証、ＩＣカード認証など）を含んでいてもよい。このパターン入力認証は、上述のパスコード認証の代わりに使用してもよい。
【産業上の利用可能性】
【００４９】
本発明は、例えば、携帯端末装置に適用可能である。
【図１】
0006628116.tif 000002
【図２】
0006628116.tif 000003